(57)【特許請求の範囲】
【請求項１】
ハンドル本体と上部カバーの間に把持具が構成されたスライド片が設置され、レバーによって前記把持具が動作するように構成された着脱可能な料理用容器ハンドルであって、
前記ハンドル本体の内部に前記把持具が形成されたスライド片がスプリングと一緒に設置され、前記スライド片が引けるように当該スライド片とレバーがけん引ロットに接続され、
前記スライド片の中央にはガイド溝と係止溝が構成され、前記スライド片の下部、ハンドル本体内部にはストッパーがインストールされて、当該ストッパーを構成するボタン軸が前記スライド片の中央に形成されたガイド溝を貫通してレバーの中央に引掛かりによって結合された解除ボタンの下部に結合され、
前記ストッパーは、前記スライド片の係止溝にかかるように引掛かり片が構成され、ストッパーが上下に動作するように底面にスプリングが設置されたことを特徴とする、着脱可能な料理用容器ハンドル。
【請求項２】
前記ハンドル本体とレバーが回転できるように組み合わせた上部カバーは、金属バンドによって一体型に結合され、金属バンドの引掛かり溝が上部カバーに形成された係止片に結合されることを特徴とする、請求項１に記載の着脱可能な料理用容器のハンドル。
【発明の詳細な説明】
【技術分野】
【０００１】
本発明は、着脱可能な料理用容器のハンドルに係り、さらに詳細には、着脱可能な料理用容器のハンドルを構成する把持具の作動及び解除のための部品の構成を簡素化し、安全性が確保されるように把持具の解除作動を２段階で行うように構成された着脱可能な料理用容器のハンドルに関する。
【背景技術】
【０００２】
周知のように、鍋やフライパンなどの料理用容器には、ユーザーが料理用容器を取って所望の場所に移動できるように料理用容器の両側または片側にハンドルが取り付けられている。
【０００３】
このように料理用容器に固定されているハンドルは、着脱不可能なもので、外部に突出しているので、保管時に広い空間を占めるだけでなく、洗浄時にそのハンドルに異物が挟まることがあり、衛生面からも不潔であるという短所がある。
【０００４】
上記料理用容器の短所を解決するために、料理用容器のハンドルを料理用容器と別個に製作して、必要に応じて料理用容器に着脱して使用できる着脱可能な料理用容器のハンドルの開発が進められている。
【先行技術文献】
【特許文献】
【０００５】
【特許文献１】特開２０１０−１３５９７８号公報
【特許文献２】特開２０１０−１４１８０６号公報
【発明の概要】
【発明が解決しようとする課題】
【０００６】
しかし、着脱可能な料理用容器のハンドルにおいては、ハンドル下部に構成されているやっとこ式レバーを引くことで把持具が作動する構造のため、レバーの作動時に大きい力が必要であるという短所がある。
【０００７】
これに対し、把持具をカムの原理によって移動させて料理用容器を取って固定させるように構成されたものがあるが、構造が複雑であった。特に、カムの摩耗によって把持具の機能が低下し、全般的な作動が円滑ではない等の問題により、着脱可能な料理用容器のハンドルの寿命が短縮するという短所がある。
【０００８】
また、料理用容器からハンドルを分離するために把持具を料理用容器から解除する際、ハンドルが料理用容器から一挙に解除されるので、安全性が大きく低下するなど、構造的に多くの短所があった。
【０００９】
上記短所を解消するために、レバーを回転させれば把持具が引かれるように構成されたものがあるが、把持具を作動するための構成と解除するための部品構成が複雑になるだけでなく、空間利用が非効率である。
【００１０】
また、コイルスプリングを設ける構成が非常に複雑であり、さらに、把持具を２段階で制御する構成も非常に複雑であるなど、構造的に多くの問題点があった。
【００１１】
本発明は、上記問題点を解消するために考案されたものであり、着脱可能な料理用容器のハンドルを構成する把持具の作動及び解除構成を集中化し、部品の構成が簡単になるように改善して、空間活用を高め、把持具の把持力を向上させ、少ない力で把持具を作動できるように構成し、使用上、便利な着脱可能な料理用容器のハンドルを提案する。
【００１２】
また、料理用容器から解除するとき、把持具が２段階で解除されるように構成して、解除時に意図せぬ料理用容器の落下による事故を予防し、ユーザーの安全性を確保するように構成された着脱可能な料理用容器のハンドルを提案する。
【課題を解決するための手段】
【００１３】
本発明によれば、ハンドル本体と上部カバーとの間に、把持具が形成されたスライド片が設けられ、スライド片は、スライド片を作動させるレバーと弧状のけん引ロッド及び連結軸で連結される。スライド片中央には係止片とガイド溝が構成される。
【００１４】
また、本発明によれば、把持具が２段階で解除動作を行うように構成されているストッパーがレバー中央の解除ボタンと結合されている把持具の作動及び解除の構造がレバーに集中的に構造される。
【発明の効果】
【００１５】
以上説明したように本発明によれば、着脱可能な料理用容器のハンドルの把持具を作動及び、解除させる構造がレバーに集中的に構成されることにより、部品数が減少し、構造が簡単になるので、組立性、耐久性及び、把持力が向上して、製品競争力を高めることができる。
【００１６】
また、本発明によれば、把持具を料理用容器から解除するとき、把持具が２段階で作動するように構成して、レバーの誤作動による料理用容器の落下によって事故を引き起こす問題点を解決することで、安全性を大きく向上させることができる。
【図面の簡単な説明】
【００１７】
【図１】本発明による着脱可能な料理用容器のハンドルの主要な構成の一部を分解して示す斜視図である。
【図２】本発明による着脱可能な料理用容器のハンドルの他の構成を示す分解斜視図である
【図３ａ】本発明による着脱可能な料理用容器のハンドルの把持具が引かれた状態を示す断面図である。
【図３ｂ】本発明による着脱可能な料理用容器のハンドルの把持具が引かれた状態を示す平面図である。
【図４ａ】本発明による着脱可能な料理用容器のハンドルの把持具が１次解除された状態を示す断面図である。
【図４ｂ】本発明による着脱可能な料理用容器のハンドルの把持具が１次解除された状態を示す平面図である。
【図５ａ】本発明による着脱可能な料理用容器のハンドルの把持具が２次解除された状態を示す断面図である。
【図５ｂ】本発明による着脱可能な料理用容器のハンドルの把持具が２次解除された状態を示す平面図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
本発明による着脱可能な料理用容器のハンドルは、ハンドル本体１と、レバー２０が回転できるように連結されている上部カバー２とが、金属ベルト５によって一体型に結合される。具体的には、金属ベルトの引掛かり溝５’が上部カバー２に形成されている係止片２’に結合される。
【００２０】
前記ハンドル本体１と上部カバー２との間に、把持具１１が構成されたスライド片１０が設けられるが、スライド片に付けられている連結軸４とレバー軸２１をけん引ロッドで連結させレバー２０が回転による「梃子の原理」でスライド片１０に構成される。
【００２１】
前記のスライド片１０の中央にはガイド溝１２と係止溝１３が設けられ、スライド片１０の両側とハンドル本体１の間に、リターンスプリング３３を介し、スプリングの弾性によりスライド片１０が復帰できるように設けられる。
【００２２】
前記のスライド片１０の下部とハンドル本体１内部にはストッパー３０が軸ピンに設けられ、前記ストッパーを構成するボタン軸３１がスライド片１０の中央に構成されたガイド溝１２を貫いてレバー２０の真ん中の引掛かり２３によって結合された解除ボタン２２の下部に結合される。
【００２３】
前記のストッパー３０は、スライド片１０の係止溝１３にかかるように引掛かり片３２が構成され、ストッパー３０の底面には、ストッパー３０の上下動作のためのスプリング３４が構成される。
【００２４】
図面の符号４１は、ハンドル本体に形成された把持面、４２は滑り止めパッド、４３は料理用容器を表示である。
【００２５】
以上のように構成された本実施形態による着脱可能な料理用容器のハンドルの操作の作用は、次の通りである。
【００２６】
本実施形態による着脱可能な料理用容器のハンドルは、把持具１１が構成されたスライド片１０にある把持具１１とハンドル本体に形成された把持面４１の間に料理用容器４３を入れて料理用容器４３を掴むことになる。まず、レバー２０の前方からの回転によって把持具１１が前進させられ、ハンドル本体１に形成された把持面４１と離隔された状態で、その間に料理用容器４３の上部を入れ、レバー２０を後方に回転させるとスライド片１０に付き把持具１１が引かれることで料理用容器を取るようになる。
【００２７】
つまり、前記レバー２０を後方に回転させると、それに応じレバー軸２１に結合されたけん引ロッド３が円を描きながらテコの原理により引かれ、けん引ロッド３の連結軸４を介して結合されたスライド片１０も一緒に引っ張られながら把持具１１が料理用容器４３を掴む。
【００２８】
前記の過程で、スライド片１０に形成されたガイド溝１２は、ボタン軸３１と引掛かり片３２に沿って左、右に偏ることなく正確に移動できるようになり、この時スライド片１０の後ろに設定されたリターンスプリング３３は、収縮する。
【００２９】
そして、前記スライド片１０に構成された係止溝１３は、図３a、図３ｂに図示されたように、ストッパー３０の引掛かり片３２を越えた位置に達した状態を維持することになる。
【００３０】
前記のような状態で料理用容器４３に着脱可能な料理用容器のハンドルを固定して使用した後、料理用容器４３から着脱可能な料理用容器のハンドルを分離しようとする時は、まず、レバー２０を前方にわずかに回転させ、その後、押す。
【００３１】
そうすると、図４ａ、図４ｂに図示されたように、スライド片１０の後ろに設定されたリターンスプリング３３が、広がりながらスライド片１０を前進させることになり、ストッパー３０の引掛かり片３２がスライド片１０の係止溝１３の内側にかかるようになって、スライド片１０が一定距離だけ前進し、これ以上進むのを防ぐようになる。レバー２０の誤作動による意図しない把持具の解除作用が行われなくなるため、事故を防止することになる。
【００３２】
前記の状態でスライド片１０を最大限に前進させて料理用容器４３と着脱可能な料理用容器のハンドルを完全に分離しようとする時は、レバー２０の中央に設けられた解除ボタン２２を押す。
【００３３】
そうすると、図５ａ、図５ｂに図示されたように、解除ボタン２２とボタン軸３１の下降により、ストッパーを構成する引掛かり片３２がスライド片１０の係止溝１３から完全に抜ける。
【００３４】
前記のように引掛かり片３２が係止溝１３から完全に抜けて、リターンスプリング３３の弾性によりスライド片１０が前進しきると、レバー２０は前方に回転する。
【００３５】
前記のようにスライド片１０が前進すると把持具１１が把持面４１から完全に隔離されて料理用容器４３と着脱可能な料理用容器のハンドルが分離することになる。
【００３６】
以上、添付図面を参照しながら本発明の好適な実施形態について詳細に説明したが、本技術はかかる例に限定されない。本発明の技術分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００３７】
１    ハンドル本体
２    上部カバー
３    けん引ロッド
４    連結軸
１０    スライド片
１１    把持具
１２    ガイド溝
１３    係止溝
２０    レバー
２１    レバー軸
２２    解除ボタン
２３    引掛かり
３０    ストッパー
３１    ボタン軸
３２    引掛かり片
３３    リターンスプリング
３４    スプリング
【図１】
0005459883.tif 000002
【図２】
0005459883.tif 000003
【図３ａ】
0005459883.tif 000004
【図３ｂ】
0005459883.tif 000005
【図４ａ】
0005459883.tif 000006
【図４ｂ】
0005459883.tif 000007
【図５ａ】
0005459883.tif 000008
【図５ｂ】
0005459883.tif 000009